(57)【特許請求の範囲】
【請求項１】
移動体通信ネットワークと移動体通信で接続された移動体通信端末により前記移動体通信ネットワークを介して前記移動体通信ネットワーク側で予め登録されている画像情報または文字情報を受信する情報配信システムにおいて、
前記画像情報または文字情報を前記移動体通信ネットワークとは別の移動体通信ネットワークを介して情報端末に転送する転送手段と、
前記転送手段により転送される画像情報または文字情報の情報量に応じて課金する第１の課金手段と、
前記移動体通信端末の加入者の同意があったときには、前記移動体通信端末に送信する前記画像情報または文字情報に、所定の情報提供者が提供する情報を付加する付加手段と、
前記付加手段により付加された前記情報提供者が提供する情報の情報量に応じて前記情報提供者に対して課金する第２の課金手段と
を備え、
前記第１の課金手段は、前記第２の課金手段により課金される金額に応じて、前記転送手段により転送される画像情報または文字情報の情報量に応じて課金される金額を軽減または免除することを特徴とする情報配信システム。
【請求項２】
前記転送手段は、前記画像情報または文字情報に、前記移動体通信端末が前記移動体通信ネットワークから受信したＥメールの情報および前記移動体通信端末を用いて作成した情報を付加して転送を行うことを特徴とする請求項１に記載の情報配信システム。
【請求項３】
前記第１の課金手段は、前記転送手段による転送の後に課金の精算を行うことを特徴とする請求項１または２に記載の情報配信システム。
【請求項４】
前記第１の課金手段は、前記転送手段により転送される情報に、課金に関する情報を付加することを特徴とする請求項１ないし３のいずれか１項に記載の情報配信システム。
【請求項５】
前記情報端末は、前記第１の課金手段による課金の支払いを行う精算装置
を備えることを特徴とする請求項１ないし４のいずれか１項に記載の情報配信システム。
【請求項６】
前記情報端末は、
前記転送手段により転送された情報を出力するファクシミリ
を有することを特徴とする請求項１ないし５のいずれか１項に記載の情報配信システム。
【請求項７】
前記情報端末は、
前記転送手段により転送された情報を表示するディスプレイおよび前記転送手段により転送された情報を印刷するプリンタのうちの少なくとも一方を備えることを特徴とする請求項１ないし６のいずれか１項に記載の情報配信システム。
【発明の詳細な説明】
【０００１】
【発明の属する技術分野】
この発明は、予め登録されている画像情報または文字情報を移動体通信ネットワークを介して受信する情報配信システムに関する。
【０００２】
【従来の技術】
従来の携帯電話システムにおいては、各種情報サービス提供者のサイトや、インターネットのホームページを携帯電話で閲覧できるようにした技術が存在する。
【０００３】
また、ファクシミリから出力することにより、各種情報を配信する従来技術も存在する。
【０００４】
【発明が解決しようとする課題】
しかしながら、従来技術では、各種情報サービス提供者のサイトや、インターネットのホームページを携帯電話で閲覧しても、その情報を印刷し、または、その情報を転送して保存することは困難であるという不具合があった。
【０００５】
この発明の目的は、移動体通信端末で移動体通信ネットワークを介して受信した画像情報または文字情報を他の情報端末に転送することができるようにすることである。
【０００６】
この発明の目的は、移動体通信端末のメモリの記憶容量の残量が少なくなったときに、そのメモリに記憶されている情報を情報端末に送信できるようにして、さらに使いやすいシステムとすることである。
【０００７】
この発明の目的は、画像情報、文字情報の転送を行う際に転送する情報量に応じて課金できるようにすることである。
【０００８】
この発明の目的は、画像情報、文字情報の情報端末への転送を利用した事後に、その費用を確定させるようにして、情報の情報端末への転送サービスの利用の幅を拡大し、このサービスの利用量の増大、収入の増大を図ることである。
【０００９】
この発明の目的は、情報端末に画像情報、文字情報を転送した際の費用を直ちに確認できるようにして、費用処理の利便性を高めることである。
【００１０】
この発明の目的は、移動体通信端末の加入者は無料で情報提供者が提供する情報を得られ、移動体通信ネットワーク側は個別の収入向上が見込め、情報提供者側は有効な広告手段などを得ることができるようにすることである。
【００１１】
この発明の目的は、移動体通信端末の加入者は無料または安価で自分の必要とする情報が得られ、また、無料で情報提供者側の情報が得られ、移動体通信ネットワーク側はシステムの利用量の増大と収入の増大が見込め、情報提供者側にはさらに有効な広告手段などを得ることができるようにすることである。
【００１２】
この発明の目的は、情報を直ちに紙に印刷出力できるようにして、情報認識性を高め、また、可搬性のよい情報としての優位性を享受できるようにすることである。
【００１３】
この発明の目的は、加入者は転送した情報の簡易な出力手段を手に入れることができるようにすることである。
【００１４】
この発明の目的は、出先においても転送した情報の簡易な出力手段を手に入れることができるようにすることである。
【００１５】
【課題を解決するための手段】
請求項１に記載の発明は、
移動体通信ネットワークと移動体通信で接続された移動体通信端末により前記移動体通信ネットワークを介して前記移動体通信ネットワーク側で予め登録されている画像情報または文字情報を受信する情報配信システムにおいて、
前記画像情報または文字情報を前記移動体通信ネットワークとは別の移動体通信ネットワークを介して情報端末に転送する転送手段と、
前記転送手段により転送される画像情報または文字情報の情報量に応じて課金する第１の課金手段と、
前記移動体通信端末の加入者の同意があったときには、前記移動体通信端末に送信する前記画像情報または文字情報に、所定の情報提供者が提供する情報を付加する付加手段と、
前記付加手段により付加された前記情報提供者が提供する情報の情報量に応じて前記情報提供者に対して課金する第２の課金手段と
を備え、
前記第１の課金手段は、前記第２の課金手段により課金される金額に応じて、前記転送手段により転送される画像情報または文字情報の情報量に応じて課金される金額を軽減または免除することを特徴とする情報配信システムである。
【００１６】
したがって、移動体通信端末で移動体通信ネットワークを介して受信した画像情報または文字情報を他の情報端末に転送することができる。画像情報、文字情報の転送を行う際に転送する情報量に応じて課金することができる。移動体通信端末の加入者は無料または安価で、自分の必要とする情報が得られ、また、無料で情報提供者側の情報が得られ、移動体通信ネットワーク側はシステムの利用量の増大と収入の増大が見込め、情報提供者側にはさらに有効な広告手段などを得ることができる。
【００１７】
請求項２に記載の発明は、請求項１に記載の情報配信システムにおいて、
前記転送手段は、前記画像情報または文字情報に、前記移動体通信端末が前記移動体通信ネットワークから受信したＥメールの情報および前記移動体通信端末を用いて作成した情報を付加して転送を行う。
【００１８】
したがって、加入者は移動体通信端末のメモリの記憶容量の残量が少なくなったときに、そのメモリに記憶されている情報を情報端末に送信することができるので、さらに使いやすいものとなる。
【００２１】
請求項３に記載の発明は、
請求項１または２に記載の情報配信システムにおいて、
前記第１の課金手段は、前記転送手段による転送の後に課金の精算を行う。
【００２２】
したがって、情報の情報端末への転送を利用した事後に、その費用を確定することができるので、情報の情報端末への転送サービスの利用の幅が広がり、このサービスの利用量の増大、収入の増大を図ることができる。
【００２３】
請求項４に記載の発明は、
請求項１ないし３のいずれか１項に記載の情報配信システムにおいて、
前記第１の課金手段は、前記転送手段により転送される情報に、課金に関する情報を付加する。
【００２４】
したがって、加入者は情報端末に情報を転送した際の費用を直ちに確認することができるので、費用処理の点で利便性が高まる。
【００２９】
請求項５に記載の発明は、
請求項１ないし４のいずれか１項に記載の情報配信システムにおいて、
前記情報端末は、前記第１の課金手段による課金の支払いを行う精算装置を備える。
【００３０】
これにより、加入者は出先においても転送した情報の簡易な出力手段を手に入れることができる。
【００３１】
請求項６に記載の発明は、
請求項１ないし５のいずれか１項に記載の情報配信システムにおいて、
前記情報端末とは、前記転送手段により転送された情報を出力するファクシミリを有する。
【００３２】
したがって、加入者は情報を直ちに紙に印刷出力して得ることができるので、情報認識性が高まり、また、可搬性のよい情報としての優位性を享受することができる。
【００３３】
請求項７に記載の発明は、
請求項１ないし６のいずれか１項に記載の情報配信システムにおいて、
前記情報端末は、前記転送手段により転送された情報を表示するディスプレイおよび前記転送手段により転送された情報を印刷するプリンタのうちの少なくとも一方を備える。
【００３４】
したがって、加入者は転送した情報の簡易な出力手段を手に入れることができる。
【００３５】
【発明の実施の形態】
［発明の実施の形態１］
この発明の一実施の形態を発明の実施の形態１として説明する。
【００３６】
図１は、この発明の実施の形態１であるネットワークシステム１のシステム構成を示す概念図である。このネットワークシステム１は、この発明の情報配信システムを実現するものである。図１に示すように、このネットワークシステム１は、携帯電話網などの移動体通信ネットワーク２を有している。移動体通信端末３は、移動体通信ネットワーク２と移動体通信で接続された、移動体通信ネットワーク２の加入者が所持する携帯電話などである。
【００３７】
移動体通信ネットワーク２では、列車時刻表、電話帳、辞書、歌詞などの画像情報、文字情報を登録した情報表を記憶するメモリ４を備えている。そして、加入者の利用希望に応じて、メモリ４に記憶されている所望の情報を加入者の移動体通信端末３に送信する。この送信情報は、移動体通信端末３のメモリ５に一旦格納され、必要に応じて、移動体通信端末３のＬＣＤなどのディスプレイ６に表示される。また、移動体通信ネットワーク２と移動体通信端末３との通信が維持されている間だけ、ディスプレイ６に送信情報を表示する構成としてもよい。その際、移動体通信端末３への送信情報の情報量に応じて情報を利用した加入者に課金するため、移動体通信ネットワーク２側に設けられたメモリ７に課金金額等に関する情報が蓄えられる。
【００３８】
加入者は、前記のようにして得た所望の情報を、加入者の別の情報端末１９に転送することができる。この移動体通信端末３から情報端末１９への転送は、移動体通信ネットワーク２を介して、移動体通信ネットワーク２とは別の移動体通信ネットワーク８を介して、または、移動体通信ネットワーク２および８の両方を介して行う。これにより転送手段を実現している。この転送を行うに際しても送信情報の情報量に応じて情報を利用した加入者に課金する。その際の課金金額等に関する情報は、移動体通信ネットワーク２を用いる場合は前記のようにメモリ７に記憶し、移動体通信ネットワーク８を用いるときは移動体通信ネットワーク８側のメモリ９に記憶する。これにより第１の課金手段を実現している。
【００３９】
以上説明したネットワークシステム１によれば、加入者は移動体通信ネットワーク２を介して取得した画像情報や文字情報のうち必要とする情報を別の情報端末１９に蓄えることが可能となる。
【００４０】
また、画像情報や文字情報を別の情報端末１９に転送する際に、課金することができる。
【００４１】
［発明の実施の形態２］
この発明の実施の形態に関する他の例を発明の実施の形態２として説明する。
【００４２】
図２は、この発明の実施の形態２であるネットワークシステム１のシステム構成を示す概念図である。図２および以下の説明において、図１と同一の構成要素などには発明の実施の形態１の場合と同一の符号を用い、詳細な説明は省略する。この発明の実施の形態２では、前記発明の実施の形態１と同様の技術内容を備えている他に次のような特徴を備えている。
【００４３】
図２に示すように、この発明の実施の形態２が発明の実施の形態１と相違する点は、移動体通信ネットワーク２側にＥメールの情報を格納するメモリ１１が用意されていて、移動体通信端末３同士でＥメールの送受信が可能である。そして、メモリ４に記憶されている情報表の画像情報、文字情報に加えて、移動体通信ネットワーク２から受信したＥメールの情報や、移動体通信端末３を使用して加入者が作成したメモの情報を、移動体通信ネットワーク２を介して、移動体通信ネットワーク２とは別の移動体通信ネットワーク８を介して、または、移動体通信ネットワーク２および８の両方を介して、情報端末１９に転送することができる。この場合の課金は、発明の実施の形態１の場合と同様に行うことができる。
【００４４】
なお、移動体通信ネットワーク２から取り込んだ画像情報および文字情報、Ｅメールの情報、ならびに、加入者が作成したメモの情報は、移動体通信端末３のメモリ５に、その全てまたは一部が蓄えられる。
【００４５】
このネットワークシステム１によれば、加入者は移動体通信端末３のメモリ５の記憶容量の残量が少なくなったときに、そのメモリ５に記憶されている情報を情報端末１９に送信することができるので、さらに使いやすいものとなる。
【００４６】
［発明の実施の形態３］
この発明の実施の形態に関する他の例を発明の実施の形態３として説明する。
【００４７】
図３は、この発明の実施の形態３であるネットワークシステム１のシステム構成を示す概念図である。図３および以下の説明で、図２と同一の構成要素などには発明の実施の形態２の場合と同一の符号を用い、詳細な説明は省略する。この発明の実施の形態３では、前記発明の実施の形態２と同様の技術内容を備えている他に次のような特徴を備えている。
【００４８】
図３に示すように、この発明の実施の形態３が発明の実施の形態２と相違する点は、情報端末１９としてファクシミリ１２を使用する点にある。この場合、加入者の移動体通信端末３での負担を軽くするために、情報を転送した先の状態で通信プロトコルを変更できる通信プロトコル変更部１３を移動体通信ネットワーク８内に設けるようにしてもよい。
【００４９】
このネットワークシステム１によれば、加入者は情報を直ちに紙に印刷出力して得ることができるので、情報認識性が高まり、また、可搬性のよい情報としての優位性を享受することができる。
【００５０】
［発明の実施の形態４］
この発明の実施の形態に関する他の例を発明の実施の形態４として説明する。
【００５１】
図４は、この発明の実施の形態４であるネットワークシステム１での課金処理の流れを説明するフローチャートである。図４および以下の説明で、図１〜３と同一の構成要素などには発明の実施の形態１〜３の場合と同一の符号を用い、詳細な説明は省略する。この発明の実施の形態４では、前記発明の実施の形態１〜３のいずれかと同様の技術内容を備えている他に次のような特徴を備えている。
【００５２】
図４において、「加入者側」とあるのは加入者が移動体通信端末３を操作して行う処理を示し、「システム側」とあるのは移動体通信ネットワーク２，８側で行う処理を示している。図４に示すように、まず、加入者が移動体通信端末３を移動体通信ネットワーク２に接続してメモリ４に登録されている情報表の中の所望の情報を選択すると（ステップＳ１）、移動体通信ネットワーク２で直ちに課金の処理が行われる（ステップＳ２）。そして、メモリ４に登録されている情報表の中の所望の情報を移動体通信端末３に取り込むと（ステップＳ３）、この情報といっしょにメモリ４に記憶されている支払方法や費用の軽減等の課金に関するメニューの情報も移動体通信端末３に送られ、ディスプレイ６で閲覧することができる。このメニューは、移動体通信端末３に取り込んだ情報を情報端末１９に転送する際に必要な課金のメニューである。このメニューの中から所定のものを選択して、その情報を転送すると（ステップＳ４）、その情報は移動体通信ネットワーク２，８側のメモリ７または９に課金情報として記憶される（ステップＳ５）。そして、加入者は移動体通信端末３に取り込んだ情報を情報端末１９に転送する（ステップＳ６）。その後、システム側では、メモリ７または９に記憶された課金情報を所定の精算区に伝達し（ステップＳ７）、この課金情報に基づいて精算請求を行う（ステップＳ８）。
【００５３】
このネットワークシステム１によれば、このように情報の情報端末１９への転送を加入者が利用した事後に、その費用を確定することができるので、これにより加入者にとっては情報の情報端末１９への転送サービスの利用の幅が広がる。移動体通信ネットワーク２，８側にとっては、このサービスの利用量の増大、収入の増大を見込むことができる。
【００５４】
［発明の実施の形態５］
この発明の実施の形態に関する他の例を発明の実施の形態５として説明する。
【００５５】
図５は、この発明の実施の形態５であるネットワークシステム１での課金処理の流れを説明するフローチャートである。図５および以下の説明で、図１〜３と同一の構成要素などには発明の実施の形態１〜３の場合と同一の符号を用い、詳細な説明は省略する。この発明の実施の形態５では、前記発明の実施の形態１〜３のいずれかと同様の技術内容を備えている他に次のような特徴を備えている。
【００５６】
図５において、まず、加入者が移動体通信端末３を移動体通信ネットワーク２に接続してメモリ４に登録されている情報表の中の所望の情報を選択すると（ステップＳ１１）、移動体通信ネットワーク２で直ちに課金の処理が行われる（ステップＳ１２）。そして、メモリ４に登録されている情報表の中の所望の情報を移動体通信端末３に取り込むと（ステップＳ１３）、この情報を情報端末１９に転送する際に必要な支払方法や費用の軽減等の課金のメニューをといっしょにメモリ４に記憶されている支払方法や費用の軽減等の課金に関するメニューの情報を、移動体通信ネットワーク２，８側のメモリ７または９に課金情報として記憶する（ステップＳ１４）。そして、この課金情報を移動体通信端末３に送信する（ステップS１５）。加入者は移動体通信端末３に取り込んだ情報を課金情報も付加して情報端末１９に転送する（ステップＳ１６）。その後、システム側では、メモリ７または９に記憶されている課金情報に基づいて精算請求を行う（ステップＳ１７）。
【００５７】
したがって、このネットワークシステム１によれば、加入者は情報端末１９に情報を転送した際の費用を直ちに確認することができるので、費用処理の点で利便性が高まる。
【００５８】
［発明の実施の形態６］
この発明の実施の形態に関する他の例を発明の実施の形態６として説明する。
【００５９】
図６は、この発明の実施の形態６であるネットワークシステム１のシステム構成を示す概念図である。図６および以下の説明で、図１〜５と同一の構成要素などには発明の実施の形態１〜５の場合と同一の符号を用い、詳細な説明は省略する。この発明の実施の形態５では、前記発明の実施の形態１〜５のいずれかと同様の技術内容を備えている他に次のような特徴を備えている。
【００６０】
図６において、加入者の同意があったときは、メモリ４に記憶されている情報表の画像情報および文字情報、Ｅメールの情報、ならびに、加入者が作成したメモの情報に、移動体通信ネットワーク２，８の運営者とは別の第３の情報提供者が提供する情報（例えば、「広告」、「お知らせ」など）を付加して、移動体通信ネットワーク２または８を介して移動体通信端末３に送信する。これにより付加手段を実現している。この第３の情報提供者が提供する情報は、移動体通信ネットワーク２または８側のメモリ２１に予め記憶されている。
【００６１】
移動体通信ネットワーク２または８では、第３の情報提供者が提供する情報の情報量に応じて移動体通信端末３に対する送信に課金する。その課金情報は課金メモリ２２に記憶される。この課金情報に基づく課金は、移動体通信ネットワーク２または８が第３の情報提供者に対して行う。これにより第２の課金手段を実現している。
【００６２】
したがって、このネットワークシステム１によれば、加入者は無料で第３の情報提供者が提供する情報を得られるとともに、移動体通信ネットワーク２または８側は個別の収入向上が見込め、第３の情報提供者側は有効な広告手段などを得ることができる。
【００６３】
［発明の実施の形態７］
この発明の実施の形態に関する他の例を発明の実施の形態７として説明する。
【００６４】
図７は、この発明の実施の形態７であるネットワークシステム１のシステム構成を示す概念図である。図７および以下の説明で、図１〜６と同一の構成要素などには発明の実施の形態１〜６の場合と同一の符号を用い、詳細な説明は省略する。この発明の実施の形態７では、前記発明の実施の形態６と同様の技術内容を備えている他に次のような特徴を備えている。
【００６５】
すなわち、図7に示すように、前記発明の実施の形態６と同様、加入者の同意があったときは、メモリ４に記憶されている情報表の画像情報および文字情報、Ｅメールの情報、ならびに、加入者が作成したメモの情報に、第３の情報提供者が提供する情報を付加して、移動体通信ネットワーク２または８を介して移動体通信端末３に送信する。そして、その場合の課金情報は課金メモリ２２に記憶される。
【００６６】
そして、加入者は無料で第３の情報提供側の情報が得られるだけでなく、加入者の同意があるときは、課金メモリ２２に記憶された課金情報をもとに、この課金金額に応じて移動体通信端末３から情報端末１９へ転送した情報に対する課金を軽減または免除する。すなわち、このような情報の転送に対する課金を軽減または免除するような課金情報が課金メモリ７または９に記憶される。この課金情報は転送した先の情報端末１９（この例ではファクシミリ１２）で表示され、加入者に支払い方法や費用軽減等の選択機会を与えることが可能となる。軽減または免除した分の金額は第３の情報提供側で負担する。
【００６７】
したがって、このネットワークシステム１によれば、加入者は無料または安価で、自分の必要とする情報が得られ、無料で第３の情報提供者側の情報が得られる。移動体通信ネットワーク２または８側はシステムの利用量の増大と収入の増大が見込める。第３の情報提供者側にはさらに有効な広告手段などを得ることができる。
【００６８】
［発明の実施の形態８］
この発明の実施の形態に関する他の例を発明の実施の形態８として説明する。
【００６９】
図８は、この発明の実施の形態８であるネットワークシステム１のシステム構成を示す概念図である。図８および以下の説明で、図１〜７と同一の構成要素などには発明の実施の形態１〜７の場合と同一の符号を用い、詳細な説明は省略する。この発明の実施の形態８では、前記発明の実施の形態１，２，４〜７のいずれかと同様の技術内容を備えている他に次のような特徴を備えている。
【００７０】
すなわち、この発明の実施の形態８では、情報端末１９が図7に示すような構成とされている。まず、受信装置２７で受信した情報を一旦蓄えるメモリ２３が必要に応じて設けられている。また、加入者が転送したものを受信した情報を表示するディスプレイ２４を設けている。さらに、これらの情報を印字するプリンタ２５を備えた構成としてもよい。
【００７１】
したがって、これにより加入者は転送した情報の簡易な出力手段を手に入れることができる。
【００７２】
［発明の実施の形態９］
この発明の実施の形態に関する他の例を発明の実施の形態７として説明する。
【００７３】
図８は、この発明の実施の形態８であるネットワークシステム１のシステム構成を示す概念図である。図７および以下の説明で、図１〜８と同一の構成要素などには発明の実施の形態１〜８の場合と同一の符号を用い、詳細な説明は省略する。この発明の実施の形態８では、前記発明の実施の形態１〜８のいずれかと同様の技術内容を備えている他に次のような特徴を備えている。
【００７４】
すなわち、この発明の実施の形態８では、情報端末１９は、移動体通信端末３からの情報の転送に対する課金による支払いを可能とする精算装置２６を備えていて、これらの装置は、加入者に簡便に便宜を提供するシステムステーション２８に配置されている。
【００７５】
これにより、加入者は出先においても転送した情報の簡易な出力手段を手に入れることができる。
【００７６】
【発明の効果】
請求項１に記載の発明は、移動体通信端末で移動体通信ネットワークを介して受信した画像情報または文字情報を他の情報端末に転送することができる。
【００７７】
請求項２に記載の発明は、請求項１に記載の情報配信システムにおいて、加入者は移動体通信端末のメモリの記憶容量の残量が少なくなったときに、そのメモリに記憶されている情報を情報端末に送信することができるので、さらに使いやすいものとなる。
【００７８】
請求項３に記載の発明は、請求項１または２に記載の情報配信システムにおいて、画像情報、文字情報の転送を行う際に転送する情報量に応じて課金することができる。
【００７９】
請求項４に記載の発明は、請求項３に記載の情報配信システムにおいて、情報の情報端末への転送を利用した事後に、その費用を確定することができるので、情報の情報端末への転送サービスの利用の幅が広がり、このサービスの利用量の増大、収入の増大を図ることができる。
【００８０】
請求項５に記載の発明は、請求項３または４に記載の情報配信システムにおいて、加入者は情報端末に情報を転送した際の費用を直ちに確認することができるので、費用処理の点で利便性が高まる。
【００８１】
請求項６に記載の発明は、請求項１〜５のいずれかの一に記載の情報配信システムにおいて、移動体通信端末の加入者は無料で情報提供者が提供する情報を得られるとともに、移動体通信ネットワーク側は個別の収入向上が見込め、情報提供者側は有効な広告手段などを得ることができる。
【００８２】
請求項７に記載の発明は、請求項３〜５のいずれかの一に記載の情報配信システムにおいて、移動体通信端末の加入者は無料または安価で、自分の必要とする情報が得られ、また、無料で情報提供者側の情報が得られ、移動体通信ネットワーク側はシステムの利用量の増大と収入の増大が見込め、情報提供者側にはさらに有効な広告手段などを得ることができる。
【００８３】
請求項８に記載の発明は、請求項１〜７のいずれかの一に記載の情報配信システムにおいて、加入者は出先においても転送した情報の簡易な出力手段を手に入れることができる。
【００８４】
請求項９に記載の発明は、請求項１〜８のいずれかの一に記載の情報配信システムにおいて、加入者は情報を直ちに紙に印刷出力して得ることができるので、情報認識性が高まり、また、可搬性のよい情報としての優位性を享受することができる。
【００８５】
請求項１０に記載の発明は、請求項１〜８のいずれかの一に記載の情報配信システムにおいて、加入者は転送した情報の簡易な出力手段を手に入れることができる。
【図面の簡単な説明】
【図１】この発明の実施の形態１であるネットワークシステムのシステム構成を示す概念図である。
【図２】この発明の実施の形態２であるネットワークシステムのシステム構成を示す概念図である。
【図３】この発明の実施の形態３であるネットワークシステムのシステム構成を示す概念図である。
【図４】この発明の実施の形態４であるネットワークシステムで行う処理を説明するフローチャートである。
【図５】この発明の実施の形態５であるネットワークシステムで行う処理を説明するフローチャートである。
【図６】この発明の実施の形態６であるネットワークシステムのシステム構成を示す概念図である。
【図７】この発明の実施の形態７であるネットワークシステムのシステム構成を示す概念図である。
【図８】この発明の実施の形態８であるネットワークシステムの情報端末の形成を示す概念図である。
【図９】この発明の実施の形態９であるネットワークシステムの情報端末の形成を示す概念図である。
【符号の説明】
２      移動体通信ネットワーク
３      移動体通信端末
８      移動体通信ネットワーク
１２    ファクシミリ
１９    情報端末
２４    ディスプレイ
２５    プリンタ
２６    精算装置
【図１】
0004409052.tif 000002
【図２】
0004409052.tif 000003
【図３】
0004409052.tif 000004
【図４】
0004409052.tif 000005
【図５】
0004409052.tif 000006
【図６】
0004409052.tif 000007
【図７】
0004409052.tif 000008
【図８】
0004409052.tif 000009
【図９】
0004409052.tif 000010